(57)【特許請求の範囲】
【請求項１】
略円形状の一定の厚みを有するマーカーケース中に電池と発光ダイオードとスイッチとこれらを電気的に接続する通電回路とを収納し、しかも、通電回路中に発光ダイオードの点滅制御のための集積回路を介設すると共に、発光ダイオードはマーカーケースの上面に一部露出する状態で配設したボールマーカーにおいて、前記マーカーケースは、円筒状のケースの上面に天蓋を一体に連設した上ケースと、この上ケースの下底開口部を閉蓋するための円形座板とで構成し、前記天蓋には、前記発光ダイオードの点灯点滅及び消灯に用いるスイッチを設けるためのスイッチ用孔と、前記発光ダイオードのレンズ部を露出させるためのＬＥＤ用孔を設け、前記スイッチは、前記発光ダイオードの点灯点滅及び消灯に用いるだけでなく、前記スイッチの操作回数によって前記発光ダイオードの点灯点滅パターンを切り替え可能とし、前記スイッチ用孔は、前記天蓋の中央に設けて、防水カバーを介して前記スイッチを突出させていることを特徴とするボールマーカー。
【発明の詳細な説明】
【技術分野】
【０００１】
本発明は、発光するボールマーカーに関する。
【背景技術】
【０００２】
通常ボールマーカーは、ゴルフ規則により、小さなコインや同様のものが、ゴルフをする際に、グリーン上などにおいてボールの位置やカップまでの距離やボールの軌跡を確認するための目印として利用されている。
【０００３】
その種類や形状については、様々なものが存在しているが、その多くは、形状に関するものや、光に反射するタイプのものであり、薄暗い状況や距離が遠い場合においては視認性が決して高いとはいえないので、ボールマーカーに電池、光源を組み込み、スイッチ操作で点灯又は点滅をする構造とするものが考案されている（例えば、特許文献１参照）。
【特許文献１】特開２００５―３１２８７０号公報
【発明の開示】
【発明が解決しようとする課題】
【０００４】
前記公報に開示された技術をもとにして、実際に、ボールマーカーに電池、光源を組み込み、スイッチ操作で点灯又は点滅をする構造を持つ試作品を作製し、実験を行ったところ、薄暗い状況や距離が遠い場合においても、光源の光の波長や人間（以下、「競技者」ともいう。）の目の光に関する感度などが考慮されておらず、ボールマーカーを使用する際に、そのボールマーカーが確認しにくいという欠点があった。
【０００５】
更に、通常ゴルフを行う際の晴天時には、直接の太陽光やグリーンの芝生表面からの光の反射などによって、ボールマーカーが確認しにくいという欠点もあった。
【０００６】
また、前記公報に開示された同じ構造からなるボールマーカーを使用した際に、同公報では一緒にゴルフを行う他の競技者のボールマーカーと区別するために発光部の色を変える技術も公開されているものの、発光部の色を変える、すなわち、光の波長を変えるということが、人間の目の光に関する感度に直接に対応するとは言えず、実際に使用する際に、ボールマーカーが確認しにくいという欠点もあった。
【課題を解決するための手段】
【０００７】
そこで、本発明は、略円形状の一定の厚みを有するマーカーケース中に電池と発光ダイオードとスイッチとこれらを電気的に接続する通電回路とを収納し、しかも、通電回路中に発光ダイオードの点滅制御のための集積回路を介設すると共に、発光ダイオードはマーカーケースの上面に一部露出する状態で配設したボールマーカーにおいて、前記マーカーケースは、円筒状のケースの上面に天蓋を一体に連設した上ケースと、この上ケースの下底開口部を閉蓋するための円形座板とで構成し、前記天蓋には、前記発光ダイオードの点灯点滅及び消灯に用いるスイッチを設けるためのスイッチ用孔と、前記発光ダイオードのレンズ部を露出させるためのＬＥＤ用孔を設け、前記スイッチは、前記発光ダイオードの点灯点滅及び消灯に用いるだけでなく、前記スイッチの操作回数によって前記発光ダイオードの点灯点滅パターンを切り替え可能とし、前記スイッチ用孔は、前記天蓋の中央に設けて、防水カバーを介して前記スイッチを突出させていることを特徴とするボールマーカーを提供せんとするものである。
【発明の効果】
【００１２】
本発明によれば、略円形状の一定の厚みを有するマーカーケース中に電池と発光ダイオードとスイッチとこれらを電気的に接続する通電回路とを収納し、しかも、通電回路中に発光ダイオードの点滅制御のための集積回路を介設すると共に、発光ダイオードはマーカーケースの上面に一部露出する状態で配設したボールマーカーにおいて、前記マーカーケースは、円筒状のケースの上面に天蓋を一体に連設した上ケースと、この上ケースの下底開口部を閉蓋するための円形座板とで構成し、前記天蓋には、前記発光ダイオードの点灯点滅及び消灯に用いるスイッチを設けるためのスイッチ用孔と、前記発光ダイオードのレンズ部を露出させるためのＬＥＤ用孔を設け、前記スイッチは、前記発光ダイオードの点灯点滅及び消灯に用いるだけでなく、前記スイッチの操作回数によって前記発光ダイオードの点灯点滅パターンを切り替え可能とし、前記スイッチ用孔は、前記天蓋の中央に設けて、防水カバーを介して前記スイッチを突出させていることから、雨天や曇天や日没前後の薄暗い状況やグリーン上のボールラインを確認する際のボールとピンとの距離が遠い場合や通常ゴルフを行う際の晴天時の直接の太陽光や光によるグリーンの芝生からの反射などの気象条件を克服して確実にボールマーカーを視認できる効果がある上に、一緒にゴルフを行う他の競技者のボールマーカーとの区別もできることから、確実にボールマーカーを視認できる効果がある。 
【発明を実施するための最良の形態】
【００１７】
本発明では、略円形状の一定の厚みを有するマーカーケース中に電池と発光ダイオード（Ｌｉｇｈｔ Ｅｍｉｔｔｉｎｇ Ｄｉｏｄｅ  以下、「ＬＥＤ」という。）とスイッチとこれらを電気的に接続する通電回路とを収納し、しかも、通電回路中にＬＥＤの点滅制御のための集積回路を介設すると共に、ＬＥＤはマーカーケースの上面に一部露出する状態で配設する。
【００１８】
更に、ＬＥＤは、少なくとも３個を均等な間隔で周縁部に配設し、各ＬＥＤが、それぞれ点灯点滅するように構成する。
【００１９】
更に、ＬＥＤは、レンズ部の形状が略砲弾型で、その頂部をマーカーケース上面より突出するよう構成する。
【００２０】
更に、スイッチをマーカーケースの下底面に配設し、ボールマーカー自体の重量あるいは、ボールマーカーを地面に押し込むことにより電源が入り、ボールマーカーを取り上げると、電源が切れるよう構成する。
【００２１】
更に、距離に対応して点滅間隔を変えるよう構成する。
【実施例】
【００２２】
以下、本実施形態に係るボールマーカーＡの実施例について、図面を用いて具体的に説明する。
【００２３】
図１はボールマーカーＡの斜視図、図２は光源部Ｓの斜視図、図３は上ケース１０の斜視図、図４は円形座板３０の斜視図、図５は光源部Ｓの平面図、図６は光源部Ｓの底面図、図７は光源部Ｓの回路を示すブロック図、図８は光源部Ｓの回路を示す回路図、図９は点灯点滅パターンの切り替えを示すフロー図をそれぞれ示す。
【００２４】
本実施形態に係るボールマーカーＡは、図１〜図４に示すように、ボールマーカーＡの外形を形成するマーカーケースＭが、上ケース１０と円形座板３０に別れており、上ケース１０と円形座板３０とは、光源部Ｓを格納して嵌合し、一体化し円筒型コイン状のボールマーカーＡを構成する。すなわち、マーカーケースＭは、円筒状のケース１６の上面に天蓋１１を一体に連設した上ケース１０と上ケース１０の下底開口部を閉蓋するための円形座板３０とよりなる。上ケース１０と円形座板３０とは、一体に組立自在となっている。
【００２５】
上ケース１０は、金型により同じものが大量に成形できるプラスチックなどの材料で構成している。その全体の形状は、円筒状のケース１６の上面に天蓋１１を一体に連設した形状に構成している。
【００２６】
また、上ケース１０には、天蓋１１の中央にＬＥＤ５１の点灯点滅及び消灯に用いるスイッチ５３が防水カバー５４を介して凸設するためのスイッチ用孔１２と、その周辺に等間隔で３個のＬＥＤレンズ部を露出して突設するためのＬＥＤ用孔１３とがそれぞれ穿設している。
【００２７】
更に、電池交換などのために、光源部Ｓを取り出す必要があるときには、上ケース１０から円形座板３０を離脱する。従って、図１及び図３に示すように、上ケース１０の外周面に離脱用凹部１７が形成されており、同離脱用凹部１７は円形座板３０の周縁上面に当接するようにしているから、上ケース１０から円形座板３０を離脱する際には、硬貨などの扁平板を同離脱用凹部１７に差し込みこじることによって、円形座板３０を上ケース１０から離脱する。
【００２８】
円形座板３０は、前記上ケース１０と同質の材料で構成している。図４に示すように、円形座板３０の上面周縁には、嵌着リブ３１を立設して、同嵌着リブ３１を上ケース１０の下底開口部に嵌着することによって、上ケース１０を有底状のマーカーケースＭとすることができる。
【００２９】
また、前記円形座板３０は、図示しないが、底面視すると、略中央に円形の凹部分を設け、薄肉化されており、同円形座板３０を作製する際に、材料費を抑えることができる上、マーカーケースＭの外形のデザイン性も向上する。
【００３０】
光源部Ｓは、図２と図５と図６に示すように、プリント配線板５０とプリント配線板５０の上部に平面視プリント配線板５０に均等間隔に配設したＬＥＤ５１とプリント配線板５０の上部に平面視プリント配線板５０の略中心に配設したスイッチ５３と同スイッチ５３の近傍に配設した集積回路５６とプリント配線板５０の下部に底面視プリント配線板５０に均等間隔に配設した電源部５５とより構成している。
【００３１】
なお、プリント配線板５０は、細かな配線が印刷技術を利用して形成されているのでボールマーカーＡの小型化や薄型化に対応できるよう構成している。
【００３２】
プリント配線板５０の形状は、平面視略正方形であり、その周縁部に略半円状に形設したＬＥＤ用切り欠き部５２が、等間隔の放射方向に複数設けられている。
【００３３】
図２と図５と図６に示すように、前記プリント配線板５０の周縁に等間隔に３個のＬＥＤ５１を立設し、プリント配線板５０の略中央にスイッチ５３を設け、プリント配線板５０の下面に等間隔に３個の電池５５ａを付設する。なお、回路を構成する前述の各部品は、図７及び図８に示すブロック図及び回路図のように、プリント配線板５０にＬＥＤ５１とスイッチ５３と電池５５ａと集積回路５６とを電気的に接続するために、回路を介して配設している。
【００３４】
また、プリント配線板５０は、電気絶縁性の基板の外層あるいは内層に電気良導体で転写再現された電気配線図形を有し、スルーホールめっき、あるいは、非スルーホールめっきにより相互接続され、かつ、搭載される回路部品との接続と支持体とを具備したものであることから、本実施形態におけるプリント配線板５０も、熱硬化性樹脂などの絶縁材料よりなる基材と、プリント配線板５０自体の強度を高めるための補強材と、電気配線図形である電気を通電させる回路には銅箔などの導体とによって構成している。例えば、回路を構成する部品であるＬＥＤ５１の取り付けは、プリント配線板５０に穿設したスルーホールにＬＥＤ５１の陽極や陰極を挿設した上に半田付けし固定する。従って、ＬＥＤ５１がプリント配線板５０に構成した通電回路に電気的に接続され、かつプリント配線板５０に立設する。
【００３５】
ＬＥＤ５１は、１個ないしは複数個（ここでは３個）が平面視プリント配線板５０の均等間隔の放射方向に側面視ＬＥＤレンズ部が上向きとなるよう立設する。すなわち、一旦、プリント配線板５０底面からＬＥＤ５１の陽極と陰極をプリント配線板５０に穿設したスルーホールに挿設し、半田付けし固定する。次に、ＬＥＤ５１の陽極と陰極を曲成し、プリント配線板５０の周縁部に略半円状に形設したＬＥＤ用切り欠き部５２を通り、プリント配線板５０上面に各ＬＥＤ５１のレンズ部が突出するよう立設される。また、前記上ケース１０をかぶせた際には、前述のように、上ケース１０の天蓋１１の内周に均等間隔に略円状に形設しているＬＥＤ用孔１３より、前記各ＬＥＤ５１のレンズ部の上部が、露出し突出するよう構成する。
【００３６】
ＬＥＤ５１は、一般的に、その構造及び性質上、発光する光の指向性が高く、高輝度であるため、本実施形態において、前述のように試作品を作製して行った実験を通じて得られた結果に基ついて、ボールマーカーＡがより良い構成になるようにＬＥＤ５１を選択している。すなわち、より良い視認性を得るため、本実施形態において、ＬＥＤ５１は赤色で高輝度なものを使用して光源部Ｓを構成する。
【００３７】
更には、赤色のＬＥＤ５１は、安価であることから、本実施形態のボールマーカーＡを作製し、商品として市場に流通させる場合にも、その作製コストも抑えることができる。
【００３８】
またＬＥＤ５１は、長寿命で繰り返しの点滅にも強いことから、本実施形態において光源部Ｓの発光体をＬＥＤ５１で構成することは効果的である。
【００３９】
前述のように、試作品を作製して行った実験を通じて得られた結果に基ついて、ＬＥＤ５１を赤色で高輝度なものとした理由は、以下の通りである。
【００４０】
まず、ＬＥＤ５１の発光色が赤色である理由を説明する。人間の目には、光の波長に対する感度である視感度があり、国際照明委員会が制定した、視感度のピークを１としたときの視感度である標準比視感度によると、明所視の場合は波長５５５ナノメートル（ｎｍ）の光が、暗所視の場合は波長５０７ｎｍの光が、それぞれ人間の目には一番明るく感じられるが、どちらの場合でも、その波長に該当する光の色は緑色である。
【００４１】
しかし、グリーンの芝生の色も、緑色である。従って、ＬＥＤ５１の発光色も緑色とすると、グリーンの芝生の緑色と同化して視認性が低下する。そこで補色の関係を利用してボールマーカーＡを目立たせて、視認性を向上させる。物理的色相環における緑色の補色は、マゼンタ色であり、赤色とは補色関係にないが、人間の知覚としての色相環である心理的色相環における緑色の補色は、赤色である。このことから、その心理的色相環における補色関係の影響で、人間の目には赤色が目立つように感じられる。よって、雨天や曇天や日没前後の薄暗い状況やグリーン上のボールラインを確認する際のボールとピンとの距離が遠い場合は、もちろんのこと、直接の太陽光や光によるグリーンの芝生からの反射などの気象条件よるボールマーカーＡの視認性低下を克服して、カップまでの距離を目測し、カップまでのラインを読むことができる。しかし、それほど光源の光を際立たせる必要がないときなどは、ＬＥＤ５１の色は赤色である必要はない。
【００４２】
次に、ＬＥＤ５１の輝度が高輝度である理由を説明する。極端に輝度が低い場合には、光源の視認性が低くなり、極端に輝度が高い場合にも、視認性が低くなるので、試作品を作製して行った実験を通じて得られた結果に基ついて、光度は、例えば１２００ミリカンデラ（ｍｃｄ）を想定している。また、何ｍｃｄ以上を高輝度という、という定義や規格はないが、ここでは、光度は１２００ｍｃｄを想定してので、比較的高い輝度なので、高輝度ということにする。
【００４３】
なお、光度や輝度は光源の明るさの指標であり、輝度は、単位面積当たりの光度であり、光度は、光源から放射された単位立体角当りの光束であり、光束は、放射束（放射エネルギ）に人間の目の光に対する感度を考え合わせた概念である。極端に輝度が低い場合には、当然、光源の視認性は低くなるが、逆に、極端に輝度が高い場合には、視野内に過度に輝度の高い点や面が見えることによって起こる障害であるまぶしさである眩輝（以下、「グレア」という。）が発生するので、人間に不快感や目の疲労、そして物の見えづらさ、すなわち視認性の低下などを惹き起こす。従って、明るく目立たせる場合に、輝度を高くすればよいというものではないことが、試作品を作製して行った実験を通じてわかっている。
【００４４】
さらに、ボールマーカーＡを構成するＬＥＤ５１の光の状態がグレアとなりうるか否かは、前記ボールマーカーＡを使用する周辺の明るさや気象条件などの総合的な環境と人間の生理的状態で決まる。従って、光源とその周辺との明るさのバランスや、直接光と間接光の別、視線の方向と光源のなす角度などにも依存し、また、同じ光環境、同じ位置であっても、人間の特性によってグレアとして受け取られるか否かは異なる。しかし、試作品を作製して行った実験を通じて、ボールマーカーＡを構成するＬＥＤ５１の光度は、望ましくは１２００ｍｃｄにすることで視認性が良くなることがわかっている。
【００４５】
なお、本発明の実施形態におけるＬＥＤ５１は、レンズ部が略砲弾型で光の指向性が強いものを用いているが、競技者がグリーン上で距離の離れた場所において斜め上方からボールマーカーＡを見下ろしても十分に視認性が得られた。そこで、ボールマーカーＡのＬＥＤ５１に広指向角ＬＥＤを用いることによって、競技者が様々な条件の距離や角度からボールマーカーＡを見下ろした場合であっても、ボールマーカーＡをより確実に視認することができる。
【００４６】
側面視したプリント配線板５０の上部には、ＬＥＤ５１を点灯点滅及び消灯するためのスイッチ５３がプリント配線板５０の平面視略中央に、防水カバー５４を介して、凸設する。すなわち、上ケース１０の天蓋１１の略中央に円形に形成されたスイッチ用孔１２より防水カバー５４と一体化したスイッチ５３が突出する。
【００４７】
前述のようにスイッチ５３が押し易いように凸設されており、スイッチ５３を押すことによって、回路に電流が流れ、ＬＥＤ５１を点灯点滅あるいは消灯させることができる。
【００４８】
なお、図示しないが、スイッチ５３をマーカーケースＭの下底面側に突設させて、ボールマーカーＡ自体の重量、あるいは、競技者がボールマーカーＡを地面に押し込むことにより電源が入り、ボールマーカーＡを取り上げると、電源が切れるようにボールマーカーＡを構成することもできる。従って、スイッチ５３の操作を気にかけずに円滑にＬＥＤ５１を点灯や点滅、あるいは消灯させることができ、電源の切り忘れなどを防止することもできる。
【００４９】
競技者がスイッチ５３を操作することで得られる様々な点灯点滅パターンは、ＬＥＤ５１の点灯、点滅、消灯を制御する集積回路５６に、記憶されており、そのパターンによって、競技者のボールマーカーＡを区別するができる。また、そのパターン、すなわちＬＥＤ５１の点滅間隔をカップとボールとの距離に対応させることで、ＬＥＤ５１の点滅間隔により歩測したカップとボールとの距離を確認しながらラインを読むこともできる。
【００５０】
点灯点滅パターンの切り替えについては、図９に示すように、例えば、ステップ１０１の消灯状態よりステップ２０１の１回目スイッチ５３を押すことにより、ステップ２０２の点灯点滅パターン１によってＬＥＤ５１が発光する。次に、ステップ２０３の２回目スイッチ５３を押すことにより、ステップ２０４の点灯点滅パターン２によってＬＥＤ５１が発光する。更にステップ２０５の３回目スイッチ５３を押すことにより、ステップ２０６の点灯点滅パターン３によってＬＥＤ５１が発光する。つまり、スイッチ５３を押す回数によりＬＥＤ５１の点滅パターンを変化させることができる。全ての点灯点滅パターンの回数、例えばｎ回だけスイッチ５３を押すことにより（ステップ３０１）、ステップ３０２の点灯点滅パターンｎによってＬＥＤ５１が発光した後、更に１回スイッチ５３を押す、すなわち、ステップ３０３の（ｎ＋１）回目スイッチ５３を押すことにより、ＬＥＤ５１は、全て消灯する。
【００５１】
競技者が他の各競技者のボールマーカーＡを区別する時には、例えば、ステップ１０１の消灯状態よりステップ２０１の１回目スイッチ５３を押すことにより、ステップ２０２の点灯点滅パターン１ａによってＬＥＤ５１が発光する。次に、ステップ２０３の２回目スイッチ５３を押すことにより、ステップ２０４の点灯点滅パターン２ａによってＬＥＤ５１が発光する。更にステップ２０５の３回目スイッチ５３を押すことにより、ステップ２０６の点灯点滅パターン３ａによってＬＥＤ５１が発光する。つまり、スイッチ５３を押す回数によりＬＥＤ５１の点滅パターンを変化させることができる。全ての点灯点滅パターンの回数、例えばｎ回だけスイッチ５３を押すことにより（ステップ３０１）、ステップ３０２の点灯点滅パターンｎａによってＬＥＤ５１が発光した後、更に１回スイッチ５３を押す、すなわち、ステップ３０３の（ｎ＋１）回目スイッチ５３を押すことにより、ＬＥＤ５１は、全て消灯する。従って、集積回路５６に組み込まれたパターン数に対応する競技者の人数を区別することができる。
【００５２】
また、競技者がカップとボールとの距離に対応してボールマーカーＡの点滅間隔を変更するには、例えば、ステップ１０１の消灯状態よりステップ２０１の１回目スイッチ５３を押すことにより、ステップ２０２の点灯点滅パターン１ｂ（カップとボールとの距離が１メートル（ｍ）未満）によってＬＥＤ５１が発光する。次に、ステップ２０３の２回目スイッチ５３を押すことにより、ステップ２０４の点灯点滅パターン２ｂ（カップとボールとの距離が１ｍ以上２ｍ未満）によってＬＥＤ５１が発光する。更にステップ２０５の３回目スイッチ５３押すことにより、ステップ２０６の点灯点滅パターン３ｂ（カップとボールとの距離が２ｍ以上３ｍ未満）によってＬＥＤ５１が発光する。全ての点灯点滅パターンの回数、例えばｎ回だけスイッチ５３を押すことにより（ステップ３０１）、ステップ３０２の点灯点滅パターンｎｂによってＬＥＤ５１が発光した後、更に１回スイッチ５３を押す、すなわち、ステップ３０３の（ｎ＋１）回目スイッチ５３を押すことにより、ＬＥＤ５１は、全て消灯する。従って、集積回路５６に組み込まれたパターン数に相当する、カップとボールとの距離に対応した点灯点滅パターンが得られる。よって、カップとボールとの距離を歩測した後にラインを読む際に、歩測距離を常に確認しつつラインを読むことができる。なお、より多くのパターン数を集積回路５６に組み込むことにより、前述のようなカップとボールとの距離が１ｍ区切りで点滅間隔を変化させるのではなく、例えば５０センチメートル（ｃｍ）、更には３０ｃｍのように、より細かな距離の区切りに対応した点滅間隔によってＬＥＤ５１を発光させることもできる。
【００５３】
更に、前述の点灯点滅パターンを組み合わせることによって、複数の競技者によってゴルフを行っても、各競技者のボールマーカーＡを区別しつつ、かつ、カップとボールとの距離に対応する点灯点滅パターン（点滅間隔）を実行することもできる。
【００５４】
図６に示すように、プリント配線板５０の下面には、均等間隔に配設した電池端子を兼ねるブラケット５５ｂに電池５５ａを収納することで、電源部５５が構成されている。電源部５５の３個の電池５５ａは、ボールマーカーＡの外形が、ゴルフルールの制約上、コイン状で小型である必要があるために、例えば、ボタン型電池あるいはコイン型電池などの小さな電池であることが望ましい。また、電圧については、ＬＥＤ５１の順方向（降下）電圧が２.１ボルト（Ｖ）である上に、ボタン型電池あるいはコイン型電池の規格電圧が、１.５Ｖあるいは３.０Ｖであることから、電池内の内部抵抗を考慮して電池５５ａの個数は、１個〜３個で構成する。
【００５５】
図示しないが、ＬＥＤ５１を短寿命化させないために、定格電流を流すよう構成するために、回路に流れる電流を安定化しＬＥＤ５１を保護するための抵抗体、あるいは、順方向（降下）電圧かけた場合、電圧にかかわらず、一定の電流が得られる様にした定電流ダイオード（Current Regulative Diode  以下、「ＣＲＤ」という。）が回路に組み込まれている。
【００５６】
本実施形態のボールマーカーＡを用いて、ＬＥＤ５１を点灯点滅させて使用する場合の動作について説明する。
【００５７】
ボールマーカーＡについては、略円形状の一定の厚みを有するマーカーケースＭの中にＬＥＤ５１とスイッチ５３と電池５５ａとこれらを電気的に接続する通電回路とを収納し、しかも、通電回路中にＬＥＤ５１の点滅制御のための集積回路５６を介設すると共に、ＬＥＤ５１はマーカーケースＭの上面に一部露出する状態で配設するよう構成する。競技者が同ボールマーカーＡを雨天や曇天や日没前後の薄暗い状況やグリーン上のボールラインを確認する際のボールとピンとの距離が遠い場合や通常ゴルフを行う際の晴天時の直接の太陽光や光によるグリーンの芝生からの反射などの気象条件において、ボールマーカーＡを構成するＬＥＤ５１を点灯点滅させて使用することで、確実にボールマーカーＡを視認できる。更に、一緒にゴルフを行う他の競技者のボールマーカーＡとの区別もできることから、より確実にボールマーカーＡを視認できる。
【００５８】
また、ＬＥＤ５１は、少なくとも３個を均等な間隔で上ケース１０の天蓋１１の周縁部に配設し、各ＬＥＤ５１が、それぞれ点灯点滅するように構成したことから、等間隔の発光が規則的な発光位置を示し、かつ、発光源が複数あるため、発光が人工的な配置となり、かつ、はっきりと発光するので、自然界にない発光となり、目立つので目に付きやすく、より確実にボールマーカーＡを視認できる。
【００５９】
更に、ＬＥＤ５１は、ＬＥＤレンズ部の形状が略砲弾型で、そのレンズ部が上ケース１０の天蓋１１より突出するよう配設されていることから、ゴルフを行う競技者は斜め上方からボールマーカーＡを見下ろすことができるので、ボールマーカーＡの設置状況にかかわらず、より確実にボールマーカーＡを視認できる。
【００６０】
更に、図示しないが、スイッチ５３をマーカーケースＭの下底面に配設し、ボールマーカーＡ自体の重量あるいは、ボールマーカーＡを地面に押し込むことにより電源が入り、ボールマーカーＡを取り上げると、電源が切れるよう構成したことから、スムーズに点灯又は点滅できるため、容易に確実にボールマーカーＡを視認できる。
【００６１】
更に、距離に対応して点滅間隔を変えるよう構成したことから、カップとボールとの距離を歩測した後にラインを読む際に、あらかじめ歩測距離に合致した点滅がなされているため、歩測距離を常に確認しつつボールマーカーＡを視認できる上、各競技者のボールマーカーＡを区別しつつボールマーカーＡを視認できる。
【００６２】
前述のようにボールマーカーＡを使用し、同ボールマーカーＡを視認することによって、カップとボールとの距離を歩測した後にラインを読みパッティングをする際に、ボールマーカーＡが目印となり、パッティングの技量を向上することができる。また、スイッチ操作を容易にし点灯点滅させることで、スイッチ操作を気にかけずに競技者がプレーに打ち込むことができる。更には、確実にカップまでの距離を判断しつつ、カップまでのラインを読むことができるので、パッティングの技量を更に向上することもできる。
【００６３】
以上、本発明の好ましい実施の形態について説明したが、本発明は係る特定の実施形態に限定されるものではなく、特許請求の範囲に記載された本発明の要旨の範囲内において、種々の変形・変更が可能である。
【図面の簡単な説明】
【００６４】
【図１】本実施形態に係るボールマーカーを示す斜視図である。
【図２】本実施形態に係るボールマーカーの光源部を示す斜視図である。
【図３】本実施形態に係るボールマーカーの上ケースを示す斜視図である。
【図４】本実施形態に係るボールマーカーの円形座板を示す斜視図である。
【図５】本実施形態に係るボールマーカーの光源部を示す平面図である。
【図６】本実施形態に係るボールマーカーの光源部を示す底面図である。
【図７】本実施形態に係るボールマーカーの光源部の回路を示すブロック図である。
【図８】本実施形態に係るボールマーカーの光源部の回路を示す回路図である。
【図９】本実施形態に係る点灯点滅パターンの切り替えを示すフロー図である。
【符号の説明】
【００６５】
Ａ      ボールマーカー
Ｍ      マーカーケース
Ｓ      光源部
１０    上ケース
１１    天蓋
１２    スイッチ用孔
１３    ＬＥＤ用孔
１６    円筒状のケース
１７    離脱用凹部
３０    円形座板
３１    嵌着リブ
５０    プリント配線板
５１    ＬＥＤ
５２    ＬＥＤ用切り欠き部
５３    スイッチ
５４    防水カバー
５５    電源部
５５ａ  電池
５５ｂ  ブラケット（電池端子兼電池収納部材）
５６    集積回路
【図１】
0004991615.tif 000002
【図２】
0004991615.tif 000003
【図３】
0004991615.tif 000004
【図４】
0004991615.tif 000005
【図５】
0004991615.tif 000006
【図６】
0004991615.tif 000007
【図７】
0004991615.tif 000008
【図８】
0004991615.tif 000009
【図９】
0004991615.tif 000010